(57)【要約】【課題】  ディスク装置の薄型化を損なうことなく、回路基板の発熱を効果的に抑えることができるとともに、製造工程における組み付けや調整の容易さ、保守・修理作業を簡略化できるようにする。【解決手段】  回路基板６の一側縁寄りにフラットケーブル１８Ｂと接続するコネクタ１８Ｃを集約的に配置する。該回路基板６を側壁部７Ｂ，７Ｂ間に固定し、回路基板６と側壁部７Ｂで囲まれた空間部によってディスク２の回転よって生じる風の通風路を形成する。この通風路に臨むように、回路基板６に実装した電子部品１８をディスク２側に向けてフレーム７に固定する。これにより、前記ディスク２の回転より生じる空気が通風路２８を通ってフレーム７から外部に抜け、電子部品１８からの熱が外部に放熱される。これとともに、回路基板６にフラットケーブル１８Ｂを接続した状態のまま取り外せばフレーム７の上部を開放し、製造工程における組み付けや調整が容易となる。【選択図】      図２
2005267822.tif 000002
【特許請求の範囲】
【請求項１】
ディスクを搬入／搬出するトレイと、前記ディスクを回転駆動するターンテーブルと、このターンテーブルと対向して前記ディスクを挟持するクランパと、前記ディスクの記録面にレーザー光を照射して前記ディスクの記録／再生を行うピックアップレンズと、ディスク装置を制御する回路基板と、これら構成部品を組付けるフレームとを備えたディスク装置であって、前記フレームは、トレイを案内する水平方向に延びる支持枠と、この支持枠の左右両側に相対向して一体形成する一対の側壁部を備え、その側壁部の上面ほぼ中央に前記クランパを取り付ける帯板状の支持板を一体形成するとともに、この支持板とほぼ同一高さとなるように前記側壁部間に前記回路基板を掛け渡して該回路基板で前記フレームの上面開放部分を塞ぐことによって、該回路基板と前記側壁部とで囲まれた空間部に前記ディスクの回転時に発生する空気が流れる通風路を形成するとともに、この通風路側に前記回路基板に実装した電子部品を突出させたことを特徴とする放熱効果を高めたディスク装置。
【請求項２】
前記フレームに固定されるピックアップレンズの送り機構やターンテーブルなどの駆動系ユニットと前記回路基板とが可撓性を有する配線部材で電気的に接続されるとともに、前記回路基板の一側縁に前記配線部材と接続するコネクタを集約的に配置したことを特徴とする請求項１記載の放熱効果を高めたディスク装置。
【発明の詳細な説明】
【技術分野】
【０００１】
本発明は、ディスクの記録面にレーザー光を照射してディスクの記録／再生を行うディスク装置、特に、ディスクの回転時に発生する空気の流れを利用して回路基板に実装する電子部品の発熱を効果的に抑えるようにした放熱効果を高めたディスク装置に関する。
【背景技術】
【０００２】
近年、ディスク装置は、ユーザーの種々のニーズに対応して、ＤＶＤプレーヤやＣＤプレーヤ等に限られず、テレビジョン受像機本体にも内蔵されるなど、その使用範囲は広範囲に及んでいる。これらのディスク装置は、年々小型、薄型化が進み、内部においては空間的な余裕がなく、種々の装置や部品が高密度で装着されている一方、内部に収納された駆動制御回路のＩＣの電子部品などからの発熱密度が増加している。このため、ディスクの書き込み、読み込み動作における温度上昇による誤動作を防止することが重要な課題になっている。このような、従来技術の光ディスク装置の放熱構造として、例えば、特許文献１、２には、メカシャーシによってケーシング内を上下に仕切るとともに、上側区画エリアにディスクを載置するトレー、ターンテーブル、ターンテーブルを駆動するモータ、ディスクの記録面に光を照射してデータを読み取るピックアップ、このピックアップをディスクの半径方向に移動させるためのトラバースユニットなどのディスク装置の主要ユニットを配置し、下側区画エリアにピックアップや駆動機構の駆動及び制御するＬＳＩ、ＩＣ等の発熱電子部品が実装された回路基板を配置し、ディスクの回転によって上側区画エリアに発生する空気の流れを利用し、その空気を下側区画エリアに循環させるディスク装置の冷却装置が開示されている。すなわち、これら特許文献１、２は、上下の区画エリアを仕切るメカシャーシに複数の通風口を形成し、ディスクの回転によって上側区画エリア内を流れる空気を通風口からに下側区画エリアへと通過させ、通風口から再び上側の区画エリアへと循環させることによって、回路基板に実装した発熱電子部品の冷却効果を高めるようにしている。
【０００３】
【特許文献１】特開２０００−２３１７８２公報
【特許文献２】特開２０００−２３１７８３公報
【発明の開示】
【発明が解決しようとする課題】
【０００４】
このように、特許文献１または特許文献２では、ディスクの回転によって発生する空気の流れを利用して回路基板を冷却するように構成することによって、別途、冷却ファンなど冷却部品を組み込む必要がないから、ディスク装置をコンパクトに小型化できるという利点を有するものの、ケーシングをメカシャーシによってケーシングを上下に区画し、上側区画エリアにディスク装置の主要ユニットを収納し、下側区画エリアに集積回路などが実装された回路基板を収納することから、ディスク装置を薄型化するには限界があり、ディスク装置を薄型化することができない。さらに、下側区画エリアに回路基板が収納されているから、出荷時などにおける各種調整あるいは修理などにおいて回路基板の着脱作業が極めて煩雑であった。
【０００５】
本発明は上述した問題点に鑑みてなされたものであり、ディスク装置の薄型化を損なうことなく、回路基板に実装した電子部品の発熱を効果的に抑えることができるとともに、製造工程における組み付けや調整の容易さ、保守・修理作業を簡略化できる放熱効果を高めたディスク装置を提供することを目的とする。
【課題を解決するための手段】
【０００６】
請求項１の放熱効果を高めたディスク装置は、ディスクを搬入／搬出するトレイと、前記ディスクを回転駆動するターンテーブルと、このターンテーブルと対向して前記ディスクを挟持するクランパと、前記ディスクの記録面にレーザー光を照射して前記ディスクの記録／再生を行うピックアップレンズと、ディスク装置を制御する回路基板と、これら構成部品を組付けるフレームとを備えたディスク装置であって、前記フレームは、トレイを案内する水平方向に延びる支持枠と、この支持枠の左右両側に相対向して一体形成する一対の側壁部を備え、その側壁部の上面ほぼ中央に前記クランパを取り付ける帯板状の支持板を一体形成するとともに、この支持板とほぼ同一高さとなるように前記側壁部間に前記回路基板を掛け渡して該回路基板で前記フレームの上面開放部分を塞ぐことによって、該回路基板と前記側壁部とで囲まれた空間部に前記ディスクの回転時に発生する空気が流れる通風路を形成するとともに、この通風路側に前記回路基板に実装した電子部品を突出させたことを特徴とする。
【０００７】
請求項１の構成によれば、ディスクの回転より生じる空気が通風路を通ってフレームから外部に抜ける際、回路基板に実装された電子部品の熱が外部に放熱される。さらに、単に回路基板がフレームの上面に固定され、その回路基板に実装する電子部品が通風路側に突出しているので、外面側に電子部品が突出することなく、クランパを取り付ける支持板と回路基板とがほぼフラットに連続し、ディスク装置全体の高さ寸法の抑えることが可能となり、ディスク装置を可及的に薄型化することができる。
【０００８】
請求項２の放熱効果を高めたディスク装置は、請求項１記載の放熱効果を高めたディスク装置において、前記フレームに固定されるピックアップレンズの送り機構やターンテーブルなどの駆動系ユニットと前記回路基板とが可撓性を有する配線部材で電気的に接続されるとともに、前記回路基板の一側縁に前記配線部材と接続するコネクタを集約的に配置したことを特徴とする。
【０００９】
請求項２の構成によれば、回路基板に配線部材を接続した状態のまま、配線部材側から回路基板を反転するように取り外してフレームの上部を開放することが可能となる。
【発明の効果】
【００１０】
本発明の請求項１の放熱効果を高めたディスク装置によれば、ディスクを搬入／搬出するトレイと、前記ディスクを回転駆動するターンテーブルと、このターンテーブルと対向して前記ディスクを挟持するクランパと、前記ディスクの記録面にレーザー光を照射して前記ディスクの記録／再生を行うピックアップレンズと、ディスク装置を制御する回路基板と、これら構成部品を組付けるフレームとを備えたディスク装置であって、前記フレームは、トレイを案内する水平方向に延びる支持枠と、この支持枠の左右両側に相対向して一体形成する一対の側壁部を備え、その側壁部の上面ほぼ中央に前記クランパを取り付ける帯板状の支持板を一体形成するとともに、この支持板とほぼ同一高さとなるように前記側壁部間に前記回路基板を掛け渡して該回路基板で前記フレームの上面開放部分を塞ぐことによって、該回路基板と前記側壁部とで囲まれた空間部に前記ディスクの回転時に発生する空気が流れる通風路を形成するとともに、この通風路側に前記回路基板に実装した電子部品を突出させたものであるから、ディスクの回転より生じる空気が通風路を通ってフレームのから外部に抜ける際、回路基板に実装された電子部品、特に、各種モータ等を駆動するドライバーや諸制御を行うなどの発熱電子部品からの熱を外部に放熱することができる。これにより、電子部品からの熱が篭らず、回路基板に実装した電子部品を効率的に放熱することが可能となる。また、通風路は、ディスク装置の構成上、必要不可欠な回路基板をフレームに固定して形成することから、新たに放熱部品を用いる必要がないとともに、回路基板に実装する電子部品が外面側に突出することなく通風路側に臨み、クランパを取り付ける支持板と回路基板とがほぼフラットに連続するため、ディスク装置全体の高さ寸法を抑えてディスク装置の薄型化を図ることができる。
【００１１】
請求項２の放熱効果を高めたディスク装置によれば、請求項１記載の放熱効果を高めたディスク装置において、前記フレームに固定されるピックアップレンズの送り機構やターンテーブルなどの駆動系ユニットと前記回路基板とが可撓性を有する配線部材で電気的に接続されるとともに、前記回路基板の一側縁に前記配線部材と接続するコネクタを集約的に配置して前記回路基板の着脱時に前記配線部材にヒンジ機能を持たせたものであるから、回路基板に配線部材を接続した状態のまま、配線部材側から回路基板を反転するように取り外してフレームの上部を開放することができ、ディスク装置の製造工程においてトラバースユニット等をディスク装置に取付ける際にディスク装置の上部開放部分から容易に取付け作業を行うことができ、作業性が向上すると共に、作業工程に柔軟性を持たせることができる。また、修理・メンテナンスの際にも、基板がディスク装置の上部にあるため作業が非常に容易であるとともに、回路基板に配線部材を接続した状態のまま各種調整作業が行えるので作業時間の大幅な短縮が図られる。
【発明を実施するための最良の形態】
【００１２】
以下、本発明の具体的実施例について、添付図面を参照しながら説明する。なお、以下の実施態様は、本発明を具体化する際の一形態であって、本発明をその範囲内に限定するためのものではない。
【００１３】
図１〜図６に示すように、本実施例のディスク装置１は、ディスク２を搬入／搬出するトレイ３と、ディスク２を回転駆動するターンテーブル４と、このターンテーブルと対向して前記ディスク２を挟持するクランパ４Ａと、ディスク２の半径方向へ進退可能に設けたピックアップレンズ５と、ディスク装置１を駆動、制御するための回路が形成された回路基板６などを主要構成部品とし、これら主要構成部品を合成樹脂製のフレーム７に組付けている。また、前記ターンテーブル４とピックアップレンズ５及びその送り機構８は金属製の支持フレーム９に固定して一体的にユニット化し、これを駆動系ユニット１０としている。また、前記フレーム７は、水平方向に延びる支持枠７Ａと、この支持枠７Ａの左右両側に一体形成する側壁部７Ｂとで構成され、前記支持枠７Ａに形成する開口部７Ｃに臨ませて前記駆動系ユニット１０を固定するとともに、側壁部７Ｂの内面に前記トレイ３を案内するレール１２を形成し、このレール１２に沿わせてトレイ３をフレーム７に対して前後方向に移動するように構成している。
【００１４】
前記ターンテーブル４は、前記フレーム７のほぼ中央部に配置されたスピンドルモータ１４の回転駆動によって回転するように構成され、このターンテーブル４の上方に位置して前記フレーム７の側壁部７Ｂの間に帯板状の支持板１５が一体的に架設されている。この支持板１５の中央部に前記クランパ４Ａが固定されており、このクランパ４Ａとターンテーブル４とでディスク２を挟持して、ディスク２を回転するように構成している。そして、前記支持板１５の後方に各種の電子部品１８が実装された回路基板６が配置されている。回路基板６は、前記左右の側壁部７Ｂの上面に掛け渡してフレーム７に固定されており、前記フレーム７の支持板１５には、回路基板６を係止するＬ型の係止爪２０が一体形成されるとともに、フレーム７の側壁部７Ｂ，７Ｂには回路基板６を固定する位置決めピン２１及び固定孔２２が形成されている。一方、前記回路基板６には前記位置決めピン２１と固定孔２２に対応する位置にそれぞれ孔部２３，２３が形成され、回路基板６の前端部を係止爪２０に係止した状態で位置決めピン２１を一方の孔部２３に嵌め入れ、他方の孔部２３に挿入した固定ビス２５を固定孔２２にねじ込むことによってフレーム７に回路基板６を固定している。ここで、回路基板６は、その回路基板６に実装した電子部品１８が前記ディスク２側、すなわち、内面側に向くようにして前記フレーム７の側壁部７Ｂ，７Ｂ間に固定され、このようにして側壁部７Ｂ，７Ｂ間に固定した回路基板６によって、フレーム７の上面開放部分を覆うことによって、ディスク２を格納した状態において回路基板６とフレーム７の側壁部７Ｂによって囲まれた空間部２７が形成され、この空間部２７によって前記ディスク２の回転より生じる空気が流れる通風路２８が形成されることになる。なお、前記フレーム７に固定される回路基板６の一側縁にコネクタ１８Ｃが集約的に配置され、このコネクタ１８Ｃに可撓性を有する配線部材としてフレキシブルフラットケーブル（以下、単にフラットケーブルと称す）１８Ｂが接続されており、このフラットケーブル１８Ｂを介して前記回路基板６と、フレーム７に固定される駆動系ユニット１０などとが電気的に接続されている。このように、回路基板６の一側縁寄りにフラットケーブル１８Ｂと接続するコネクタ１８Ｃが集約的に配置することにより、図２に示すように、回路基板６にフラットケーブル１８Ｂを接続した状態のまま、フラットケーブル１８Ｂ側から回路基板６を反転するように取り外してフレーム７の上部を開放することが可能となる。
【００１５】
上記にように構成される本実施例は、回路基板６を側壁部７Ｂ，７Ｂ間に固定し、この回路基板６によって、フレーム７の上面開放部分を覆うことによって、回路基板６とフレーム７の側壁部７Ｂによって囲まれた空間部２７が形成され、この空間部２７によって前記ディスク２の回転より生じる空気が流れる通風路２８が形成される。そして、この通風路２８に臨むように、回路基板６に実装した電子部品１８をディスク２側に向けてフレーム７に固定することよって、前記ディスク２の回転より空気の流れが生じ、この空気の流れを利用して回路基板６に実装された電子部品１８からの熱を外部に放熱することができる。したがって、電子部品１８から発散する熱が回路基板６とフレーム７の側壁部７Ｂによって囲まれた空間部２７に篭らず、フレーム７の外部に抜け、回路基板６に実装した電子部品１８を効率的に放熱することが可能となる。さらに、フレーム７の上面に露出して回路基板６が固定され、その回路基板６の電子部品１８が通風路２８に臨むように内側に向けて実装され、回路基板６の外面に回路基板６が突出しない。これにより、回路基板６の非実装面とクランパ４Ａを取り付ける支持板１５がほぼフラットに連続し、ディスク装置１の高さ寸法の抑えることが可能となる。
【００１６】
以上のように、本実施例においては、回路基板６をフレーム７の上面開口部を塞ぐことによって、ディスク２の回転よる空気が流れる通風路２８が形成され、この通風路２８に臨むように回路基板６に実装する電子部品１８をディスク２側に向けて固定することにより、通風路２８を流れる前記ディスク２の回転よる空気が流れによって、電子部品１８から発散する熱をフレーム７の外部に効果的に発散させることができる。これにより、電子部品１８から発散する熱が回路基板６とフレーム７の側壁部７Ｂによって囲まれた空間部２７に篭らず、フレーム７の外部へと効率的に抜け、回路基板６に実装した電子部品１８を効率的に放熱することができ、熱による電子部品１８の劣化を防止することができる。さらに、ディスク２の回転によって空気が流れる通風路２８は、ディスク装置１の構成上、必要不可欠な回路基板６をフレーム７に固定して形成されているから、新たに放熱部品を用いる必要もないため、組付部品点数も低減され、その組付作業を簡略化できる。さらに、回路基板６は単にフレーム７の上面に固定されているだけなので、構造も簡単にあり、かつ、回路基板６の電子部品１８が通風路２８に臨むように内側に向けて実装され、回路基板６の外面に回路基板６が突出しないため、回路基板６の非実装面とクランパ４Ａを取り付ける支持板１５がほぼフラットに連続し、ディスク装置１の高さ寸法の抑えることが可能であり、ディスク装置１のコンパクト化に薄型化することができる。また、回路基板６は、フレーム７の側壁部７Ｂの上面に掛け渡して固定されているとともに、回路基板６の一側縁寄りにフラットケーブル１８Ｂと接続するコネクタ１８Ｃを集約的に配置することにより、回路基板６にフラットケーブル１８Ｂを接続した状態のまま、フラットケーブル１８Ｂ側から回路基板６を反転するように取り外してフレーム７の上部を開放することが可能となる。これにより、回路基板６を取り外せばディスク装置１の上面部が開放状態となるため、ディスク装置１内部に備えられる部品の交換なども、容易に行うことができるとともにフラットケーブル１８Ｂを接続した状態のまま回路基板６を取り外すことができる。これにより、各種調整作業も容易に行えるから、作業工程・時間の大幅な短縮化を図ることができる。
【００１７】
以上、本発明の一実施例を詳述したが、本発明は前記実施例に限定されるものでなく、本発明の要旨の範囲内で種々の変形実施が可能である。例えば、回路基板６の取付構造やディスク装置の基本的構成は前記実施例に限定されるものではなく、適宜選定すればよい。さらに、本実施例では、トレイタイプのディスク装置について説明したが、搬入ローラーによりディスクを装置内へ挿入するスロットインタイプのディスク装置や、複数のディスクを装置内に収納可能なチェンジャータイプのディスク装置など各種のディスク装置に適用可能である。
【図面の簡単な説明】
【００１８】
【図１】本発明の一実施例を示すディスク装置の斜視図である。
【図２】同上、回路基板をフレームから取り外した状態を示すディスク装置の斜視図である。
【図３】同上、回路基板とフレームを分解した状態を示すディスク装置の斜視図である。
【図４】同上、回路基板がない状態を示すディスク装置の平面図である。
【図５】図１のＡ−Ａ線断面図である。
【図６】図１のＢ−Ｂ線断面図である。
【符号の説明】
【００１９】
１  ディスク装置
２  ディスク
３  トレイ
４  ターンテーブル
４Ａ  クランパ
５  ピックアップレンズ
６    回路基板
７    フレーム
７Ａ  支持枠
７Ｂ  側壁部
８Ｂ  フラットケーブル（配線部材）
８Ｃ  コネクタ
１５  支持板
１８  電子部品
２７  空間部
２８  通風路
【図１】
2005267822.tif 000003
【図２】
2005267822.tif 000004
【図３】
2005267822.tif 000005
【図４】
2005267822.tif 000006
【図５】
2005267822.tif 000007
【図６】
2005267822.tif 000008